(57)【特許請求の範囲】
【請求項１】
１つまたは複数の商品を収容する容器と、
前記容器の中を通信範囲として前記商品に取り付けられたＲＦＩＤタグと通信するタグ通信部と、
前記容器に収容されている１つまたは複数の商品に取り付けられたＲＦＩＤタグから識別情報を一定の時間間隔で繰り返し前記タグ通信部によって取得する取得手段と、
前記取得手段により識別情報を取得したＲＦＩＤタグが取り付けられている商品の商品名、単価、決済が完了したか否かを表す決済フラグを商品単位で記憶する記憶部と、
前記取得手段により取得された１つまたは複数の識別情報により識別される全ての商品についての決済が完了したことを前記決済フラグで確認することで判定する判定手段と、
前記容器に収容された１つまたは複数の商品を購入する顧客に対して提示する情報を表示する第１の表示器と、
前記取得手段で識別情報を取得したＲＦＩＤタグが取り付けられている商品の決済フラグの状態に基づいて決済が済んでいる商品と済んでいない商品とに分けて商品名、単価をリスト表示するように前記第１の表示器を制御する第１の制御手段と、
前記顧客が決済を要求するボタンと、
前記ボタンの操作を検知すると、前記記憶部の決済フラグが未決済状態の商品の決済処理を行ない、決済を行った商品の決済フラグを決済済み状態に変更する決済手段と、
前記第１の表示器が表示する情報を目視可能な範囲よりも広範囲から目視可能な第２の表示器と、
前記容器内の全商品の決済済みであるか否かを表示するように前記第２の表示器を制御する第２の制御手段とを具備した商品運搬器具。
【請求項２】
前記決済のための情報を入力する入力手段をさらに備える請求項１に記載の商品運搬器具。
【請求項３】
プリンタと、
前記決済が完了したことが前記判定手段により判定されていることに応じて、当該決済に関わる証明書をプリントするように前記プリンタを制御する手段とを更に具備する請求項１に記載の商品運搬器具。
【請求項４】
前記容器に収容された１つまたは複数の商品の総重量を計測する計測手段と、
前記取得手段により取得された１つまたは複数の識別情報により識別される全ての商品についての想定される総重量を算出する算出手段とをさらに具備し、
前記第２の制御手段は、前記計測手段により計測された総重量と前記算出手段により算出された総重量との差が規定の制限値を超える場合には、前記決済が完了したことが前記判定手段により判定されていても、前記決済が完了したことが前記判定手段により判定されていない場合と同じ表示状態に前記第２の表示器を制御する請求項１に記載の商品運搬器具。
【請求項５】
前記第１の表示器は、前記取得手段により取得された１つまたは複数の識別情報により識別される全ての商品についての名称、数量および金額を表示可能であり、
前記第２の表示器は、前記決済が完了したことが前記判定手段により判定されているか否かのみを表示可能である請求項１に記載の商品運搬器具。
【請求項６】
１つまたは複数の商品を収容する容器と、
前記容器の中を通信範囲として前記商品に取り付けられたＲＦＩＤタグと通信するタグ通信部と、
前記容器に収容されている１つまたは複数の商品に取り付けられているＲＦＩＤタグから識別情報を一定の時間間隔で繰り返し前記タグ通信部によって取得する取得読取手段と、
前記取得手段により識別情報を取得したＲＦＩＤタグが取り付けられている商品の商品名、単価、決済が完了したか否かを表す決済フラグを商品単位で記憶する記憶部と、
前記取得手段により取得された１つまたは複数の識別情報により識別される全ての商品についての決済のための決済情報を入力する入力手段と、
前記取得手段により取得された１つまたは複数の識別情報と前記入力手段により入力された決済情報とを決済装置へ送信する送信手段と、
前記決済装置から決済結果を通知するために送信される結果情報を受信する受信手段と、
前記受信手段により受信された結果情報に基づいて、決済を行った商品の決済フラグを決済済み状態に変更する手段と、
前記容器に収容された１つまたは複数の商品を購入する顧客に対して提示する情報を表示する第１の表示器と、
前記取得手段で識別情報を取得したＲＦＩＤタグが取り付けられている商品の決済フラグの状態に基づいて決済が済んでいる商品と済んでいない商品とに分けて商品名、単価をリスト表示するように前記第１の表示器を制御する第１の制御手段と、
前記第１の表示器が表示する情報を目視可能な範囲よりも広範囲から目視可能な第２の表示器と、
前記容器内の全商品の決済済みであるか否かを表示するように前記第２の表示器を制御する第２の制御手段と、
プリンタと、
前記容器内の全商品の決済済みである場合に、当該決済に関わる証明書をプリントするように前記プリンタを制御する手段とを具備した商品運搬器具。
【発明の詳細な説明】
【技術分野】
【０００１】
本発明の実施形態は、商品運搬器具に関する。
【背景技術】
【０００２】
一般にスーパーマーケットなどにおいては、ショッピングカートなどの商品運搬器具を使用して商品が運搬される。そして、多くの場合、決算前の商品も、決算後の商品も、同じ商品運搬器具を使用して運搬される。
【先行技術文献】
【特許文献】
【０００３】
【特許文献１】特開２００７−０３４７８９号公報
【発明の概要】
【発明が解決しようとする課題】
【０００４】
商品運搬器具に入った商品が決済済みであるか否かは、商品運搬器具に入った商品と、取引証明書に記載された商品名とを照合しなければ分からない。
【０００５】
このような事情から、商品運搬器具に入った商品の決済状況を、周囲に居る人間が容易に確認できることが望まれていた。
【課題を解決するための手段】
【０００６】
実施形態の商品運搬器具は、容器と、タグ通信部と、取得手段と、記憶部と、判定手段と、第１の表示器と、第１の制御手段と、ボタンと、決済手段と、第２の表示器と、第２の制御手段とを含む。容器は、１つまたは複数の商品を収容する。タグ通信部は、容器の中を通信範囲として商品に取り付けられたＲＦＩＤタグと通信する。取得手段は、商品を識別する識別情報を容器に収容されている１つまたは複数の商品に取り付けられたＲＦＩＤタグから一定の時間間隔で繰り返しタグ通信部によって取得する。記憶部は、取得手段により識別情報を取得したＲＦＩＤタグが取り付けられている商品の商品名、単価、決済が完了したか否かを表す決済フラグを商品単位で記憶する。判定手段は、読取手段により読み取られた１つまたは複数の識別情報により識別される全ての商品についての決済が完了したことを決済フラグで確認することで判定する、第１の表示器は、容器に収容された１つまたは複数の商品を購入する顧客に対して提示する情報を表示する。第１の制御手段は、取得手段で識別情報を取得したＲＦＩＤタグが取り付けられている商品の決済フラグの状態に基づいて決済が済んでいる商品と済んでいない商品とに分けて商品名、単価をリスト表示するように第１の表示器を制御する。ボタンは、顧客が決済を要求する。決済手段は、ボタンの操作を検知すると、記憶部の決済フラグが未決済状態の商品の決済処理を行ない、決済を行った商品の決済フラグを決済済み状態に変更する。第２の表示器は、第１の表示器が表示する情報を目視可能な範囲よりも広範囲から目視可能である。第２の制御手段は、前記容器内の全商品の決済済みであるか否かを表示するように第２の表示器を制御する。
【図面の簡単な説明】
【０００７】
【図１】ショッピングカートが備える電気設備のブロック図。
【図２】ショッピングカートの外観の斜視図。
【図３】商品リストエリアに記憶された商品リストの一例を示す図。
【図４】ＣＰＵの処理のフローチャート。
【図５】表示画面の一例を示す図。
【図６】ＣＰＵの処理のフローチャート。
【発明を実施するための形態】
【０００８】
以下実施の形態の一例を図面を用いて説明する。なお、本実施の形態では、商品運搬器具としてショッピングカートを例に説明する。
【０００９】
図１は本実施形態に係るショッピングカート１００が備える電気設備のブロック図である。図２はショッピングカート１００の外観の斜視図である。
【００１０】
図１に示すようにショッピングカート１００は、電気設備として、ＣＰＵ（central processing unit）１、記憶部２、操作部３、客面表示器４、決済ランプ５、タグ通信部６、無線ＬＡＮ（local area network）通信部７、重量計８、カードリーダ９およびプリンタ１０を含む。ＣＰＵ１、記憶部２、操作部３、客面表示器４、決済ランプ５、タグ通信部６、無線ＬＡＮ通信部７、重量計８、カードリーダ９およびプリンタ１０は、バス１１に接続される。なお、客面表示器４、決済ランプ５、タグ通信部６、無線ＬＡＮ通信部７、重量計８、カードリーダ９およびプリンタ１０は、コントローラおよび通信ケーブルを介してバス１１に接続されても良い。これらの電気設備は、図示しないバッテリから供給される電力により動作する。
【００１１】
図２に示すようにショッピングカート１００は、商品かご１０１、走行機構１０２、ユーザインタフェースユニット１０３およびランプユニット１０４を含む。
【００１２】
ＣＰＵ１は、記憶部２に記憶されたオペレーティングシステム、ミドルウェアおよびアプリケーションプログラムに基づいて動作し、記憶部２、操作部３、客面表示器４、決済ランプ５、タグ通信部６、無線ＬＡＮ通信部７、重量計８、カードリーダ９およびプリンタ１０を制御する。
【００１３】
記憶部２は、ＲＯＭ（read-only memory）およびＲＡＭ（random-access memory）を含む。記憶部２は、例えばハードディスクドライブやＳＳＤ（solid state drive）などの補助記憶ユニットを含んでも良い。記憶部２は、上記のオペレーティングシステム、ミドルウェアおよびアプリケーションプログラムを記憶する。記憶部２は、ＣＰＵ１が各種の処理を行う上で参照するデータを記憶する場合も有る。記憶部２は、ＣＰＵ１が各種の処理を行う上で一時的に使用するデータを記憶しておくエリア、つまりワークエリアとして利用される。記憶部２の記憶領域の一部は、商品リストエリアとして使用される。
【００１４】
図３は商品リストエリアに記憶された商品リストの一例を示す図である。
【００１５】
図３に示すように商品リストエリアには、タグコード、商品コード、商品名、単価、重量および決済フラグの各情報を互いに関連付けて記憶するためのデータフィールドがそれぞれ複数づつ設けられる。かくして商品リストエリアには、タグコードおよび商品コードの組合せからなる商品識別情報に対応して、商品名、単価、重量および決済フラグの各情報を記憶することができる。
【００１６】
なお、図３においては、タグコードおよび商品コードは、具体的な情報の図示を省略している。
【００１７】
操作部３は、典型的にはタッチセンサである。操作部３がタッチセンサである場合、操作部３は客面表示器４の表示面に積層配置される。操作部３は、客面表示器４の表示画面へのタッチがなされた際に、そのタッチ位置に応じた検出信号を出力する。
【００１８】
客面表示器４は、典型的にはＬＣＤ（liquid crystal display）である。客面表示器４は、ＣＰＵ１の制御の下に画像を表示する。客面表示器４が表示する画像は、通常はショッピングカート１００を使用している顧客（以下、単に顧客と称する）に対して提示するべき各種の情報を表した画像である。
【００１９】
決済ランプ５は、少なくとも２つの表示状態をＣＰＵ１の制御の下に選択的にとり得る。２つの表示状態は、例えば点灯状態と消灯状態とである。あるいは２つの表示状態は、互いに点灯色（例えば赤と青）が異なる２つの点灯状態である。決済ランプ５は、ショッピングカート１００の周囲の広範囲に居る、当該ショッピングカートを使用している顧客以外の人間から表示状態を認識可能である。決済ランプ５は、その表示状態を水平方向についての３６０度の範囲のどこからでも、かつ遠距離からでも視認できることが望ましい。決済ランプ５は、少なくとも客面表示器４よりも表示状態の視認可能範囲が広い。
【００２０】
タグ通信部６は、商品に取り付けられたＲＦＩＤ（radio frequency identification）タグと通信し、ＲＦＩＤタグの識別コード（以下、タグコードと記す）と商品の識別コード（以下、商品コードと記す）とを少なくともＲＦＩＤタグから取得する。タグ通信部６は、商品かご１０１の中を通信範囲とする。
【００２１】
無線ＬＡＮ通信部７は、複数の無線アクセスポイント２００のうちの１つとＬＡＮ３００とを介してサーバ４００と通信する。なお、無線アクセスポイント２００は、店舗内のさまざまな位置に設置される。サーバ４００は、店舗に備えられたいわゆる店舗サーバや、複数の店舗を総括する本部に備えられたいわゆる本部サーバである。サーバ４００は、商品販売データを集計したり、ショッピングカート１００で使用するデータを管理する。サーバ４００は、店舗にて販売する商品に関するＰＬＵ（price lock up）ファイルを保持している。ＰＬＵファイルは、店舗にて販売する商品のそれぞれの商品コードに関連付けて、商品名、単価および重量を含んだ各種の情報を含んでいる。また、サーバ４００は、それぞれの商品コードに関連付けて、店舗にて販売した商品のそれぞれの売上を計上する売上ファイルも保持している。
【００２２】
重量計８は、商品かご１０１の中にある商品の総重量を計測する。
【００２３】
カードリーダ９は、決済カードに記録されたカード情報を読み取る。なお、決済カードとは、現金によらずに決済を行うためのカードのことであり、クレジットカード、電子マネー対応ＩＣ（integrated circuit）カード、デビットカードおよびプリペイドカードなどが含まれ得る。
【００２４】
プリンタ１０は、例えばサーマルプリンタやドットインパクトプリンタなどであり、取引証明書（レシート）を印刷する。
【００２５】
商品かご１０１は、商品を収容する収容空間を内部に形成している。商品かご１０１の底部は箱状のケース１０１ａとなっている。ケース１０１ａは、ＣＰＵ１、記憶部２、タグ通信部６、無線ＬＡＮ通信部７および重量計８を収容する。商品かご１０１は、ユーザインタフェースユニット１０３およびランプユニット１０４を支持する。
【００２６】
走行機構１０２は、商品かご１０１の下方に位置し、商品かご１０１を支持する。走行機構１０２は、４つの車輪１０２ａを備え、手押しによる走行可能である。
【００２７】
ユーザインタフェースユニット１０３は、操作部３、客面表示器４、カードリーダ９およびプリンタ１０を収容する。ユーザインタフェースユニット１０３は、客面表示器４の表示面を顧客に向ける。本実施形態では、カードリーダ９は、磁気ストライプタイプのクレジットカードおよび非接触タイプの電子マネー対応ＩＣカードに対応する。カードリーダ９は、スリット９ａに沿って顧客によりスライドされるクレジットカードからカード情報を読み取る。カードリーダ９は、読み取りユニット９ｂに近接したＩＣカードから無線でカード情報を読み取る。なおカードリーダ９は、ＩＣカード以外の媒体に搭載されたＩＣチップからもカード情報と同種の情報を読み取ることができる。プリンタ１０は、プリントした取引証明書を排出口１０ａからユーザインタフェースユニット１０３の外に排出する。
【００２８】
ランプユニット１０４は、決済ランプ５を含む。ランプユニット１０４は、決済ランプ５の点灯状態を、顧客以外の周囲の人間から容易に目視可能なように決済ランプ５を位置させる。
【００２９】
次に以上のように構成されたショッピングカート１００の動作について説明する。
【００３０】
ＣＰＵ１は起動されると、図４に示すような処理を開始する。
【００３１】
ステップＳａ１およびステップＳａ２の待ち受け状態においてＣＰＵ１は、決済要求がなされたか否かと、スキャンタイミングが到来したか否かを繰り返し確認する。そしてスキャンタイミングが到来したならば、ＣＰＵ１はステップＳａ２からステップＳａ３へ進む。なお、スキャンタイミングは、例えば一定時間（数秒程度）間隔とする。
【００３２】
ステップＳａ３においてＣＰＵ１は、商品かご１０１に入っている商品をスキャンする。具体的には、商品かご１０１に入っている商品に取り付けられたＲＦＩＤタグから情報を取得するようにタグ通信部６に指示し、この指示に応じてタグ通信部６がＲＦＩＤタグから取得した情報を取り込む。
【００３３】
ステップＳａ４においてＣＰＵ１は、ステップＳａ３で取り込んだ情報と商品リストエリアの情報とを照合することによって、商品リストに登録されている商品と今回検出された商品とに不一致があるか否かを確認する。そしてＣＰＵ１は、不一致があるならばステップＳａ４からステップＳａ５へ進み、不一致がないならば後述するステップＳａ５およびステップＳａ６を行わずにステップＳａ７へ進む。
【００３４】
ステップＳａ５においてＣＰＵ１は、商品リストを更新する。具体的には、今回新たに検出された商品に関するタグコードおよび商品コードを商品リストエリアに追加する。また、その商品コードに基づいて、サーバ４００から商品名、単価および重量の情報を取得し、それらの情報を上記のタグコードおよび商品コードに関連付けて商品リストエリアに書き込むとともに、決済フラグは「０」とする。なお、ＰＬＵファイルをサーバ４００から取得して記憶部２に記憶しておき、商品名、単価および重量の情報をＣＰＵ１が記憶部２から読み出しても良い。また、商品リストに登録されていながら今回は検出されなかった商品に関する情報を商品リストエリアから削除する。
【００３５】
ステップＳａ６においてＣＰＵ１は、更新後の商品リストの内容を表すように客面表示器４の表示画面を変更する。
【００３６】
図５は客面表示器４の表示画面の一例を示す図である。図５は商品リストが図３に示す状態であるときの表示画面の例である。
【００３７】
図５に示す表示画面は、表示領域Ａ１，Ａ２，Ａ３，Ａ４およびボタンＢを含む。
【００３８】
表示領域Ａ１は、後述する決済処理により決済が済んだ商品についての商品名、単価、点数および金額を示す。ＣＰＵ１は、商品リストにおいて「１」となっている決済フラグに関連付けられた情報をこの表示領域Ａ１に示す。
【００３９】
表示領域Ａ２は、決済が済んだ商品についての合計点数および合計金額を示す。
【００４０】
表示領域Ａ３は、決済が済んでいない商品についての商品名、単価、点数および金額を示す。ＣＰＵ１は、商品リストにおいて「０」となっている決済フラグに関連付けられた情報をこの表示領域Ａ１に示す。
【００４１】
表示領域Ａ２は、決済が済んでいない商品についての合計点数および合計金額を示す。
【００４２】
ボタンＢは、顧客が決済を要求するためのボタンである。
【００４３】
ここで、決済処理について説明する。
【００４４】
ＣＰＵ１がステップＳａ１およびステップＳａ２の待ち受け状態にあるときにボタンＢを顧客がタッチしたならば、ＣＰＵ１はステップＳａ１においてＹＥＳと判断し、ステップＳａ１からステップＳａ１２の決済処理へ進む。
【００４５】
図６は決済処理のフローチャートである。
【００４６】
ステップＳｂ１においてＣＰＵ１は、商品リストエリアに記憶された重量の総和として求まる総重量と、重量計８での計量値との重量差を算出する。
【００４７】
ステップＳｂ２においてＣＰＵ１は、重量差が予め定められた許容値以下であるか否かを確認する。そして重量差が許容値よりも大きいならば、ＣＰＵ１はステップＳｂ２からステップＳｂ３へ進み、エラー処理を行う。このエラー処理は例えば、商品かご１０１に入っている商品の情報を正しくスキャンできないことを顧客に報知するなどの処理である。そしてこのエラー処理を終えたならばＣＰＵ１は、決済処理を終了する。
【００４８】
重量差が許容値以下であるならば、ＣＰＵ１はステップＳｂ２からステップＳｂ４へ進む。
【００４９】
ステップＳｂ４においてＣＰＵ１は、商品かご１０１に入っている商品のうちで決済が済んでいない商品についての買上金額を算出する。具体的には、商品リストにおいて「０」となっている決済フラグに関連付けられた単価の総和として買上金額を算出し、この買上金額を客面表示器４に表示させる。
【００５０】
客面表示器４に表示された買上金額を確認した顧客は、クレジットカードをスリット９ａに沿ってスライドさせるか、ＩＣカードを読み取りユニット９ｂにかざす。そうするとカードリーダ９が、クレジットカードまたはＩＣカードからカード情報を読み取る。
【００５１】
ステップＳｂ５においてＣＰＵ１は、カードリーダ９が読み取ったカード情報をカードリーダ９から取得する。
【００５２】
ステップＳｂ６においてＣＰＵ１は、ステップＳｂ４で算出した買上金額とステップＳｂ５で取得したカード情報とを含んだ決済要求情報を、サーバ４００へ送信する。
【００５３】
なお、サーバ４００において、物品販売の売上実績等の管理を行うのであれば、ＣＰＵ１はこのときに商品かご１０１に入っている商品のうちで決済が済んでいない商品に関する登録要求情報をサーバ４００へ送信する。登録要求情報は、少なくとも商品コードを含む。登録要求情報には、タグコード、数量、検出日時などの他の様々な情報を含んでも良い。登録要求情報は、決済要求情報に含まれても良いし、決済要求情報とは別であっても良い。サーバ４００は、受信した登録要求情報に基づいて、例えば売上ファイルを更新処理する。
【００５４】
この決済要求情報を受けるとサーバ４００は、買上金額を決済するための周知の処理を実行する。そして、決済が完了したか否かを表した応答情報をショッピングカート１００に送信する。この応答情報を、無線ＬＡＮ通信部７が受信する。無線ＬＡＮ通信部７は、応答情報をＣＰＵ１に与える。
【００５５】
ステップＳｂ７においてＣＰＵ１は、決済が完了したか否かを応答情報に基づいて判断する。そして決済が完了していなかったら、ＣＰＵ１はステップＳｂ７からステップＳｂ８へ進み、エラー処理を行う。このエラー処理は、決済に失敗したことを顧客に報知するなどの処理である。そしてこのエラー処理を終えたならばＣＰＵ１は、決済処理を終了する。
【００５６】
決済が完了したならば、ＣＰＵ１はステップＳｂ７からステップＳｂ９へ進む。
【００５７】
ステップＳｂ９においてＣＰＵ１は、商品リストを更新する。具体的にはＣＰＵ１は、商品リストにて商品コードが関連付けられていて、かつ「０」である決済フラグを全て「１」に変更する。
【００５８】
ステップＳｂ１０においてＣＰＵ１は、今回決済した商品に関する取引証明書をプリントするようにプリンタ１０に指示する。この指示に応じてプリンタ１０は、取引証明書をプリントする。そしてこののちにＣＰＵ１は、決済処理を終了する。
【００５９】
決済処理を終了したらＣＰＵ１は、図４中のステップＳａ１およびステップＳａ２の待ち受け状態に戻る。
【００６０】
以上のようにして、決済が済んだ商品に関する決済フラグは「１」である。そこで図４中のステップＳａ７においてＣＰＵ１は、商品リストに登録された全商品に関する決済フラグの全てが「１」となっているか否かを確認することにより、商品かご１０１に入っている全商品が決済済みであるか否かを判断する。そして全商品が決済済みであると判断したならばＣＰＵ１は、ステップＳａ７からステップＳａ８へ進む。
【００６１】
ステップＳａ８においてＣＰＵ１は、商品リストエリアに記憶された重量の総和として求まる総重量と、重量計８での計量値との重量差を算出する。
【００６２】
ステップＳａ９においてＣＰＵ１は、重量差が予め定められた許容値以下であるか否かを確認する。そして重量差が許容値以下であるならば、ＣＰＵ１はステップＳａ９からステップＳａ１０へ進む。そしてステップＳａ１０においてＣＰＵ１は、決済ランプ５の点灯状態を決済状態とする。決済状態とは例えば、点灯状態や青色での点灯状態などである。
【００６３】
一方ＣＰＵ１は、一部の商品でも決済が済んでいない場合はステップＳａ７から、また重量差が許容値よりも大きい場合はステップＳａ９からステップＳａ１１へ進む。そしてステップＳａ１１においてＣＰＵ１は、決済ランプ５の点灯状態を未決済状態とする。未決済状態とは例えば、消灯状態や赤色での点灯状態などである。
【００６４】
ステップＳａ１０またはステップＳａ１１を終えたらＣＰＵ１は、ステップＳａ１およびステップＳａ２の待ち受け状態に戻る。
【００６５】
以上のようにショッピングカート１００においては、無線ＬＡＮ通信部７が複数の無線アクセスポイント２００のいずれかと通信することが可能であるならば、店舗内のどの場所においても、買い物かご１０１に入れた商品について決済することができる。この結果、決済コーナーで決済する場合に比べて、決済に関わる顧客の手間を大幅に軽減できる。そして、買い物かご１０１に入った全商品の決済が完了しているのか否かは、決済ランプ５の点灯状態によって、ショッピングカート１００の周囲に居る店員などが容易に確認することができる。このため店員は、未決済状態であるショッピングカート１００を店舗外に持ち出そうとする行為や、未決済状態であるショッピングカート１００に入った商品を袋に移す行為などをチェックすれば良く、不正のチェックに関わる店員の負担も小さい。
【００６６】
またショッピングカート１００においては、ＲＦＩＤを利用して買い物かご１０１に入った商品を検出している。このため、買い物かご１０１に入っている商品についての検出漏れや、買い物かご１０１に入っていない周囲の商品の誤検出が生じてしまう恐れが無いとは言えない。しかしショッピングカート１００においては、検出された商品についてＰＬＵファイルに予め登録された重量の総和と、重量計８での計量値との重量差を監視している。そしてこの重量差が許容値を超えている場合には決済を実行しないので、上記のような検出漏れや誤検出に起因する誤決済が防止できる。また商品リストに登録された全商品に関する決済フラグの全てが「１」となっていても、重量差が許容値を超えている場合には決済ランプ５を決済状態とはしないので、上記のような検出漏れや誤検出が生じている状態で誤って決済済みとして表示してしまうことが無い。なお、上記のような検出漏れや誤検出の恐れなく高精度に商品の検出を行うことが可能とした上で、重量によるチェックを省略することも可能である。
【００６７】
この実施形態は、次のような種々の変形実施が可能である。
【００６８】
手持ちのかごなどのような、ショッピングカート１００とは別形態の商品運搬器具においても、上記実施形態と同様に実施が可能である。
【００６９】
決済は、従来のように決済コーナーにおいて、ショッピングカート１００とは別の決済端末において行われても良い。この場合にＣＰＵ１は、商品リストに含まれた未決済の商品に関するタグコードおよび商品コードを決済端末に通知する。決済端末では、ＣＰＵ１により通知されたタグコードおよび商品コードに基づいて決済を完了したのちには、その決済の対象となったタグコードおよび商品コードをＣＰＵ１に通知する。この通知を受けてＣＰＵ１は、該当する商品に関する決済フラグを「１」に変更する。このようにすれば、商品を商品かご１０１から取り出すことなく、それらの商品の決済を行うことが可能であり、しかも商品かご１０１に入った商品が決済済みであるか否かを決済ランプ５の点灯状態によって容易に確認することが可能となる。この結果、未決済である商品を決済済みであるかのように装って店舗から持ち出すような不正を効率的に防止することが可能となる。なお、この場合には重量計８、カードリーダ９およびプリンタ１０の一部または全てを、ショッピングカート１００に設けなくても良い。
【００７０】
商品の識別情報は、商品に表示されたバーコードをバーコードスキャナにより読み取ることや、客面表示器４に表示した商品選択画面での顧客による商品選択操作を操作部３で入力するなどの別の手法により行っても良いし、複数の手法をいずれも利用可能としても良い。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［１］
１つまたは複数の商品を収容する容器と、
前記容器に収容された１つまたは複数の商品のそれぞれの識別情報を取得する取得手段と、
前記取得手段により取得された１つまたは複数の識別情報により識別される全ての商品についての決済が完了したことを判定する判定手段と、
前記容器に収容された１つまたは複数の商品を購入する顧客に対して通知する情報を表示する第１の表示器と、
前記第１の表示器が表示する情報を目視可能な範囲よりも広範囲から目視可能な第２の表示器と、
前記決済が完了したことが前記判定手段により判定されているか否かを表示するように前記第２の表示器を制御する制御手段とを具備した商品運搬器具。
［２］
前記決済のための情報を入力する入力手段をさらに備える［１］に記載の商品運搬器具。
［３］
プリンタと、
前記決済が完了したことが前記判定手段により判定されていることに応じて、当該決済に関わる証明書をプリントするように前記プリンタを制御する手段とを更に具備する［１］に記載の商品運搬器具。
［４］
前記容器に収容された１つまたは複数の商品の総重量を計測する計測手段と、
前記取得手段により取得された１つまたは複数の識別情報により識別される全ての商品についての想定される総重量を算出する算出手段とをさらに具備し、
前記制御手段は、前記計測手段により計測された総重量と前記算出手段により算出された総重量との差が規定の制限値を超える場合には前記決済が完了したことが前記判定手段により判定されていない旨を表示するように前記第２の表示器を制御する［１］に記載の商品運搬器具。
［５］
前記第１の表示器は、前記取得手段により取得された１つまたは複数の識別情報により識別される全ての商品についての名称、数量および金額を表示可能であり、
前記第２の表示器は、前記決済が完了したことが前記判定手段により判定されているか否かのみを表示可能である［１］に記載の商品運搬器具。
［６］
１つまたは複数の商品を収容する容器と、
前記容器に収容された１つまたは複数の商品のそれぞれの識別情報を取得する取得読取手段と、
前記取得手段により取得された１つまたは複数の識別情報により識別される全ての商品についての決済のための決済情報を入力する入力手段と、
前記取得手段により取得された１つまたは複数の識別情報と前記入力手段により入力された決済情報とを決済装置へ送信する送信手段と、
前記決済装置から決済結果を通知するために送信される結果情報を受信する受信手段と、
前記受信手段により受信された結果情報に基づいて前記決済が完了したことを判定する判定手段と、
前記容器に収容された１つまたは複数の商品を購入する顧客に対して通知する情報を表示する第１の表示器と、
前記第１の表示器が表示する情報を目視可能な範囲よりも広範囲から目視可能な第２の表示器と、
前記決済が完了したことが前記判定手段により判定されているか否かを表示するように前記第２の表示器を制御する制御手段と、
プリンタと、
前記決済が完了したことが前記判定手段により判定されていることに応じて、当該決済に関わる証明書をプリントするように前記プリンタを制御する手段とを具備した商品運搬器具。
【符号の説明】
【００７２】
１…ＣＰＵ、２…記憶部、３…操作部、４…客面表示器、５…決済ランプ、６…タグ通信部、７…無線ＬＡＮ通信部、８…重量計、９…カードリーダ、１０…プリンタ、１００…ショッピングカート、１０１…商品かご、１０２…走行機構、１０３…ユーザインタフェースユニット、１０４…ランプユニット。
【図１】
0005409672.tif 000002
【図２】
0005409672.tif 000003
【図３】
0005409672.tif 000004
【図４】
0005409672.tif 000005
【図５】
0005409672.tif 000006
【図６】
0005409672.tif 000007